(57)【要約】  エレベータのかごドア装置においては、かごドアの開閉方向に沿ってスライド可能に塞ぎ板を支持する塞ぎ板支持部がかごドア正面に設けられている。戸袋カバーには、戸閉動作時に塞ぎ板に係合してカバー前面部に対する塞ぎ板の戸閉方向への変位を規制する塞ぎ板係合部が設けられている。
2010035322.tif 000002
【特許請求の範囲】
【請求項１】
乗場ドアに対向するかごドア正面を有し、かご出入口を開閉するかごドア、
上記かごドア正面に上記乗場側へ突出して設けられ、乗場機器と係合するドア係合部、
上記かごドアの全開時に上記かごドア正面に対向するカバー前面部と、上記カバー前面部から反乗場側へ延びるカバー側面部とを有し、戸開動作時に上記ドア係合部を逃がす切欠部が上記カバー前面部に設けられている戸袋カバー、及び
上記かごドアの全閉時に上記切欠部を塞ぐ塞ぎ板
を備え、
上記かごドア正面には、上記かごドアの開閉方向に沿ってスライド可能に上記塞ぎ板を支持する塞ぎ板支持部が設けられており、
上記戸袋カバーには、戸閉動作時に上記塞ぎ板に係合して上記カバー前面部に対する上記塞ぎ板の戸閉方向への変位を規制する塞ぎ板係合部が設けられており、
上記塞ぎ板は、戸開動作時には、上記かごドアとともに戸開方向へ変位され、上記カバー側面部の内面に当接して上記かごドアに対して戸閉方向へ相対的にスライドされ、戸閉動作時には、上記かごドアとともに戸閉方向へ変位され、上記塞ぎ板係合部に係合して上記かごドアに対して戸開方向へ相対的にスライドされるエレベータのかごドア装置。
【請求項２】
乗場ドアに対向するかごドア正面を有し、かご出入口を開閉するかごドア、
上記かごドア正面に上記乗場側へ突出して設けられ、乗場機器と係合するドア係合部、
上記かごドアの全開時に上記かごドア正面に対向するカバー前面部と、上記カバー前面部から反乗場側へ延びるカバー側面部とを有し、戸開動作時に上記ドア係合部を逃がす切欠部が上記カバー前面部に設けられている戸袋カバー、及び
上記かごドアの全閉時に上記切欠部を塞ぐ塞ぎ板
を備え、
上記カバー前面部の上記かごドア正面に対向する面には、上記かごドアの開閉方向に沿ってスライド可能に上記塞ぎ板を支持する塞ぎ板支持部が設けられており、
上記かごドア正面の戸袋側端部には、戸閉動作時に上記塞ぎ板に係合する塞ぎ板係合部が設けられており、
上記塞ぎ板は、戸開動作時には、上記ドア係合部により押圧されて戸開方向へスライドされ、戸閉動作時には、上記塞ぎ板係合部に係合して上記かごドアとともに戸閉方向へスライドされるエレベータのかごドア装置。
【請求項３】
上記塞ぎ板係合部に係合する方向へ上記塞ぎ板を付勢する付勢手段をさらに備えている請求項１又は請求項２に記載のエレベータのかごドア装置。
【請求項４】
上記塞ぎ板は、上記塞ぎ板係合部に磁力により吸着される請求項１又は請求項２に記載のエレベータのかごドア装置。
【発明の詳細な説明】
【技術分野】
【０００１】
この発明は、乗場機器と係合するドア係合部が、かごドア正面に乗場側へ突出して設けられているエレベータのかごドア装置に関するものである。
【背景技術】
【０００２】
従来のエレベータのかごドア装置では、乗場機器と係合するドア係合部が、かごドア正面に乗場側へ突出して設けられている。また、戸袋カバーには、戸開動作時にドア係合部を逃がすための切欠部が設けられている。さらに、かごドアの戸袋側端部には、かごドアの全閉時に切欠部を塞ぐゴム製の塞ぎ板が取り付けられている。塞ぎ板は、戸開動作時には、戸袋カバーの内側に設けられた案内板に案内されて湾曲（弾性変形）される（例えば、特許文献１参照）。【０００３】
【特許文献１】特開２００２−１８７６８３号公報
【発明の開示】
【発明が解決しようとする課題】
【０００４】
上記のような従来のエレベータのかごドア装置では、かごドアの開閉動作の度に塞ぎ板が湾曲されたり伸展されたりするため、塞ぎ板が曲げ疲労により経時的に劣化し、切欠部を遮蔽できなくなり、遮音性が低下する。これに対して、単に湾曲されない剛体の塞ぎ板をかごドアの戸袋側端部に固定すると、かごドアの全開時に塞ぎ板を退避させるために戸袋カバーを外側へ拡大する必要があり、昇降路の幅寸法が大きくなってしまう。【０００５】
この発明は、上記のような課題を解決するためになされたものであり、昇降路の幅寸法の拡大を防止しつつ、曲げ疲労による塞ぎ板の劣化を防止することができるエレベータのかごドア装置を得ることを目的とする。
【課題を解決するための手段】
【０００６】
この発明によるエレベータのかごドア装置は、乗場ドアに対向するかごドア正面を有し、かご出入口を開閉するかごドア、かごドア正面に乗場側へ突出して設けられ、乗場機器と係合するドア係合部、かごドアの全開時にかごドア正面に対向するカバー前面部と、カバー前面部から反乗場側へ延びるカバー側面部とを有し、戸開動作時にドア係合部を逃がす切欠部がカバー前面部に設けられている戸袋カバー、及びかごドアの全閉時に切欠部を塞ぐ塞ぎ板を備え、かごドア正面には、かごドアの開閉方向に沿ってスライド可能に塞ぎ板を支持する塞ぎ板支持部が設けられており、戸袋カバーには、戸閉動作時に塞ぎ板に係合してカバー前面部に対する塞ぎ板の戸閉方向への変位を規制する塞ぎ板係合部が設けられており、塞ぎ板は、戸開動作時には、かごドアとともに戸開方向へ変位され、カバー側面部の内面に当接してかごドアに対して戸閉方向へ相対的にスライドされ、戸閉動作時には、かごドアとともに戸閉方向へ変位され、塞ぎ板係合部に係合してかごドアに対して戸開方向へ相対的にスライドされる。
また、この発明によるエレベータのかごドア装置は、乗場ドアに対向するかごドア正面を有し、かご出入口を開閉するかごドア、かごドア正面に乗場側へ突出して設けられ、乗場機器と係合するドア係合部、かごドアの全開時にかごドア正面に対向するカバー前面部と、カバー前面部から反乗場側へ延びるカバー側面部とを有し、戸開動作時にドア係合部を逃がす切欠部がカバー前面部に設けられている戸袋カバー、及びかごドアの全閉時に切欠部を塞ぐ塞ぎ板を備え、カバー前面部のかごドア正面に対向する面には、かごドアの開閉方向に沿ってスライド可能に塞ぎ板を支持する塞ぎ板支持部が設けられており、かごドア正面の戸袋側端部には、戸閉動作時に塞ぎ板に係合する塞ぎ板係合部が設けられており、塞ぎ板は、戸開動作時には、ドア係合部により押圧されて戸開方向へスライドされ、戸閉動作時には、塞ぎ板係合部に係合してかごドアとともに戸閉方向へスライドされる。
【図面の簡単な説明】
【０００７】
【図１】この発明の実施の形態１によるエレベータのかごを示す斜視図である。
【図２】図１のかごドア装置のＩＩ−ＩＩ線に沿う断面図である。
【図３】図２のかごドア装置の全開状態を示す断面図である。
【図４】この発明の実施の形態２によるエレベータのかごドア装置の断面図である。
【図５】図４のかごドア装置の全開状態を示す断面図である。
【図６】この発明の実施の形態３によるエレベータのかごドア装置の断面図である。
【図７】図６のかごドア装置の全開状態を示す断面図である。
【図８】この発明の実施の形態４によるエレベータのかごドア装置の断面図である。
【図９】図８のかごドア装置の全開状態を示す断面図である。
【図１０】この発明の実施の形態５によるエレベータのかごドア装置の断面図である。
【図１１】図１０のかごドア装置の全開状態を示す断面図である。
【図１２】この発明の実施の形態６によるエレベータのかごドア装置の断面図である。
【図１３】図１２のかごドア装置の全開状態を示す断面図である。
【発明を実施するための最良の形態】
【０００８】
以下、この発明の好適な実施の形態について図面を参照して説明する。
実施の形態１．
図１はこの発明の実施の形態１によるエレベータのかごを示す斜視図、図２は図１のかごドア装置のＩＩ−ＩＩ線に沿う断面図、図３は図２のかごドア装置の全開状態を示す断面図である。【０００９】
図において、かご１の前面には、かご出入口１ａが設けられている。かご出入口１ａは、一対のかごドア２により開閉される。かご１の上部には、かごドア２を駆動するドア開閉装置３が設けられている。かごドア２は、ドア開閉装置３によりかご１の幅方向（図２の左右方向）に平行に開閉動作される。【００１０】
各かごドア２は、乗場ドア（図示せず）に対向するかごドア正面２ａと、全閉時にかご室内に対向するかごドア背面２ｂとを有している。各かごドア正面２ａのほぼ中央部には、乗場機器（図示せず）と係合するドア係合部４が乗場側へ突出して設けられている。各かごドア２の戸当たり側端部には、かごドア２の全閉時にかごドア２間の隙間を塞ぐ戸当たりゴム５が固定されている。【００１１】
かご１のかご出入口１ａの両側には、戸袋スペース７を形成する断面矩形の戸袋カバー６が設けられている。戸袋カバー６は、カバー前面部６ａ、カバー側面部６ｂ、カバー背面部６ｃ、及び引込口形成部６ｄを有している。【００１２】
カバー前面部６ａの内面は、かごドア２の全開時にかごドア正面２ａに対向する。カバー側面部６ｂは、カバー前面部６ａのかご出入口１ａとは反対側の端部を反乗場側へ直角に折り曲げて形成されている。カバー背面部６ｃの内面は、かごドア２の全開時にかごドア背面２ｂに対向する。引込口形成部６ｄは、カバー背面部６ｃのかご出入口１ａ側の端部を乗場側へ直角に折り曲げて形成されている。【００１３】
引込口形成部６ｄの乗場側の端部とカバー前面部６ａのかご出入口１ａ側の端部との間には、かごドア２の戸袋スペース７への出入口となる引込口が形成されている。カバー前面部６ａには、戸開動作時にドア係合部４を逃がす矩形の切欠部６ｅが設けられている。【００１４】
かごドア背面２ｂの戸袋側端部には、かごドア２の全閉時に引込口形成部６ｄとかごドア背面２ｂとの間の隙間を塞ぐ遮音部材８が固定されている。【００１５】
かごドア正面２ａには、塞ぎ板支持部９が固定されている。塞ぎ板支持部９には、かごドア２の全閉時に切欠部６ｅを塞ぐ平板状の塞ぎ板１０が支持されている。塞ぎ板１０は、かごドア２の開閉方向に沿ってスライド可能に塞ぎ板支持部９に支持されている。また、塞ぎ板１０は、かごドア２の開閉に伴って、切欠部６ｅを塞ぐ閉鎖位置（図２）と閉鎖位置から戸開側へ退避した退避位置（図３）との間で変位される。さらに、塞ぎ板１０としては、例えば金属板が用いられている。【００１６】
塞ぎ板１０のかご出入口１ａ側の端部には、塞ぎ板支持部９に対する戸開方向への塞ぎ板１０の変位を規制するフランジ部１０ａが設けられている。塞ぎ板１０のかご出入口１ａとは反対側の端部には、乗場側へ直角に折り曲げられた折曲部１０ｂが設けられている。折曲部１０ｂは、塞ぎ板１０の上下方向の全長に渡って連続して設けられている。【００１７】
カバー前面部６ａには、戸閉動作時に折曲部１０ｂに係合してカバー前面部６ａに対する塞ぎ板１０の戸閉方向への変位を規制する塞ぎ板係合部６ｆが設けられている。塞ぎ板係合部６ｆは、切欠部６ｅの上下方向に沿う縁部を反乗場側へ直角に折り曲げることにより形成されている。即ち、塞ぎ板係合部６ｆは、カバー前面部６ａから反乗場側へ突出している。また、塞ぎ板係合部６ｆは、切欠部６ｅの上下方向の全長に渡って連続して設けられている。さらに、塞ぎ板係合部６ｆには、ゴム等の緩衝材１１が設けられている。【００１８】
次に、動作について説明する。かごドア２の全閉時には、図１及び図２に示すように、塞ぎ板１０により切欠部６ｅが塞がれている。このとき、折曲部１０ｂは、緩衝材１１を介して塞ぎ板係合部６ｆに係合している。また、引込口形成部６ｄとかごドア背面２ｂとの間の隙間は、遮音部材８により塞がれている。さらに、かごドア２間の隙間は、戸当たりゴム５同士が当接することにより塞がれている。【００１９】
戸開動作時には、塞ぎ板１０は、カバー側面部６ｂの内面に当接するまでかごドア２とともに戸開方向へ変位される。この後、折曲部１０ｂがカバー側面部６ｂの内面に当接すると、塞ぎ板１０の戸開方向への変位は停止され、かごドア２のみが全開位置まで戸開方向へ移動される。このとき、塞ぎ板１０は、塞ぎ板支持部９に案内されて、かごドア２に対して戸閉方向へ相対的にスライドされることになる。また、ドア係合部４は、切欠部６ｅ内を戸開方向へ変位される。【００２０】
戸閉動作時には、塞ぎ板１０は、折曲部１０ｂが塞ぎ板係合部６ｆに係合するまでかごドア２とともに戸閉方向へ変位される。また、ドア係合部４は、切欠部６ｅ内を戸閉方向へ変位される。この後、折曲部１０ｂが塞ぎ板係合部６ｆに係合すると、塞ぎ板１０の戸閉方向への変位は停止され、かごドア２のみが全閉位置まで戸閉方向へ移動される。このとき、塞ぎ板１０は、塞ぎ板係合部６ｆに案内されて、かごドア２に対して戸開方向へ相対的にスライドされることになる。【００２１】
このようなエレベータのかごドア装置では、塞ぎ板１０が、かごドア２の開閉方向に沿ってスライド可能に塞ぎ板支持部９に支持されており、かごドア２の開閉時にかごドア２に対して相対的にスライドされるので、塞ぎ板１０を湾曲させることなく閉鎖位置と退避位置との間で移動させることができ、しかも戸袋カバー６を外側へ拡大する必要がない。このため、昇降路の幅寸法の拡大を防止しつつ、曲げ疲労による塞ぎ板１０の劣化を防止することができる。【００２２】
また、かごドア２の全閉時にかごドア２の周囲の遮音性が確保され、かご１が昇降した際に昇降路内で発生する騒音がかご１内に伝播されるのが抑制され、乗り心地が向上する。【００２３】
実施の形態２．
次に、図４はこの発明の実施の形態２によるエレベータのかごドア装置の断面図、図５は図４のかごドア装置の全開状態を示す断面図である。なお、かご１の外観は図１と同様であり、図４、５に示す断面は図１のＩＩ−ＩＩ線に沿う断面に相当する。【００２４】
この例では、実施の形態１と同様の塞ぎ板支持部９が、カバー前面部６ａの内面、即ちかごドア正面２ａに対向する面に固定されている。そして、塞ぎ板１０は、実施の形態１とは逆向きに塞ぎ板支持部９に支持されている。即ち、フランジ部１０ａは、塞ぎ板１０のかご出入口１ａとは反対側の端部に設けられており、塞ぎ板支持部９に対する戸閉方向への塞ぎ板１０の変位を規制する。また、折曲部１０ｂは、塞ぎ板１０のかご出入口１ａ側の端部に設けられており、反乗場側へ直角に折り曲げられている。【００２５】
塞ぎ板１０は、かごドア２の開閉に伴って、切欠部６ｅを塞ぐ閉鎖位置（図４）と閉鎖位置から戸開側へ退避した退避位置（図５）との間で変位される。かごドア正面２ａの戸袋側端部には、戸閉動作時に塞ぎ板１０に係合する塞ぎ板係合部２ｃが設けられている。塞ぎ板係合部２ｃは、かごドア正面２ａから乗場側へ突出している。また、塞ぎ板係合部２ｃは、切欠部６ｅの上下方向の全長に渡って連続して設けられている。さらに、塞ぎ板係合部２ｃには、ゴム等の緩衝材１１が設けられている。【００２６】
次に、動作について説明する。かごドア２の全閉時には、図４に示すように、塞ぎ板１０により切欠部６ｅが塞がれている。このとき、折曲部１０ｂは、緩衝材１１を介して塞ぎ板係合部２ｃに係合している。また、引込口形成部６ｄとかごドア背面２ｂとの間の隙間は、遮音部材８により塞がれている。さらに、かごドア２間の隙間は、戸当たりゴム５同士が当接することにより塞がれている。【００２７】
戸開動作時には、塞ぎ板１０は、ドア係合部４により押圧されることにより塞ぎ板支持部９に案内されて戸開方向へスライドされる。即ち、塞ぎ板１０は、ドア係合部４が折曲部１０ｂに当接するまでは閉鎖位置から動かず、ドア係合部４が折曲部１０ｂに当接してからかごドア２とともにスライドされる。そして、かごドア２が全開位置まで移動されると、塞ぎ板１０も退避位置に達する。【００２８】
戸閉動作時には、塞ぎ板１０は、塞ぎ板係合部２ｃが折曲部１０ｂに係合することにより、かごドア２とともに戸閉方向へスライドされる。即ち、塞ぎ板１０は、塞ぎ板係合部２ｃが折曲部１０ｂに係合するまで退避位置から動かず、塞ぎ板係合部２ｃが折曲部１０ｂに係合してからかごドア２とともにスライドされる。そして、かごドア２が全閉位置まで移動されると、塞ぎ板１０も閉鎖位置に達する。【００２９】
このようなエレベータのかごドア装置では、塞ぎ板１０が、かごドア２の開閉方向に沿ってスライド可能に塞ぎ板支持部９に支持されており、かごドア２の開閉動作の一部区間のみでかごドア２とともにスライドされるので、塞ぎ板１０を湾曲させることなく閉鎖位置と退避位置との間で移動させることができ、しかも戸袋カバー６を外側へ拡大する必要がない。このため、昇降路の幅寸法の拡大を防止しつつ、曲げ疲労による塞ぎ板１０の劣化を防止することができる。【００３０】
また、かごドア２の全閉時にかごドア２の周囲の遮音性が確保され、かご１が昇降した際に昇降路内で発生する騒音がかご１内に伝播されるのが抑制され、乗り心地が向上する。【００３１】
実施の形態３．
次に、図６はこの発明の実施の形態３によるエレベータのかごドア装置の断面図、図７は図６のかごドア装置の全開状態を示す断面図である。この例では、付勢手段としての引張ばね１２が、塞ぎ板１０のかご出入口１ａ側の端部とかごドア正面２ａのドア係合部４の近傍との間に設けられている。引張ばね１２は、塞ぎ板係合部６ｆに係合する方向（戸閉方向）へ塞ぎ板１０を付勢する。他の構成は、実施の形態１と同様である。【００３２】
このようなかごドア装置では、かごドア２の全閉時に引張ばね１２のばね力により折曲部１０ｂが塞ぎ板係合部６ｆに押し付けられるので、折曲部１０ｂと塞ぎ板係合部６ｆとの間の気密性が高くなり、遮音性を向上させることができる。【００３３】
実施の形態４．
次に、図８はこの発明の実施の形態４によるエレベータのかごドア装置の断面図、図９は図８のかごドア装置の全開状態を示す断面図である。この例では、引張ばね１２が、塞ぎ板１０のかご出入口１ａとは反対側の端部とカバー側面部６ｂの内面との間に設けられている。引張ばね１２は、塞ぎ板係合部２ｃに係合する方向（戸開方向）へ塞ぎ板１０を付勢する。他の構成は、実施の形態２と同様である。【００３４】
このようなかごドア装置では、かごドア２の全閉時に引張ばね１２のばね力により折曲部１０ｂが塞ぎ板係合部２ｃに押し付けられるので、折曲部１０ｂと塞ぎ板係合部２ｃとの間の気密性が高くなり、遮音性を向上させることができる。【００３５】
実施の形態５．
次に、図１０はこの発明の実施の形態５によるエレベータのかごドア装置の断面図、図１１は図１０のかごドア装置の全開状態を示す断面図である。図において、塞ぎ板係合部６ｆには、磁石１３が設けられている。また、塞ぎ板１０は、磁性体により構成されている。他の構成は、実施の形態１と同様である。【００３６】
このようなかごドア装置では、かごドア２の全閉時に折曲部１０ｂが塞ぎ板係合部６ｆの磁石１３に磁力により吸着されるので、折曲部１０ｂと塞ぎ板係合部６ｆとの間の気密性が高くなり、遮音性を向上させることができる。【００３７】
なお、実施の形態５では、塞ぎ板１０の全体を磁性体で構成したが、磁石１３に当接する部分のみを磁性体で構成してもよい。
また、実施の形態５では、塞ぎ板係合部６ｆに磁石１３を設けたが、塞ぎ板１０の塞ぎ板係合部６ｆに当接する部分、即ち折曲部１０ｂに磁石１３を設け、塞ぎ板係合部６ｆを磁性体で構成してもよい。
さらに、塞ぎ板係合部６ｆ及び折曲部１０ｂの両方に磁石を設けることも可能である。この場合、互いに反対の磁極を当接させるのは勿論である。【００３８】
実施の形態６．
次に、図１２はこの発明の実施の形態６によるエレベータのかごドア装置の断面図、図１３は図１２のかごドア装置の全開状態を示す断面図である。図において、塞ぎ板係合部２ｃには、磁石１３が設けられている。また、塞ぎ板１０は、磁性体により構成されている。他の構成は、実施の形態２と同様である。【００３９】
このようなかごドア装置では、かごドア２の全閉時に折曲部１０ｂが塞ぎ板係合部２ｃの磁石１３に磁力により吸着されるので、折曲部１０ｂと塞ぎ板係合部２ｃとの間の気密性が高くなり、遮音性を向上させることができる。【００４０】
なお、実施の形態６では、塞ぎ板１０の全体を磁性体で構成したが、磁石１３に当接する部分のみを磁性体で構成してもよい。
また、実施の形態６では、塞ぎ板係合部２ｃに磁石１３を設けたが、塞ぎ板１０の塞ぎ板係合部２ｃに当接する部分、即ち折曲部１０ｂに磁石１３を設け、塞ぎ板係合部２ｃを磁性体で構成してもよい。
さらに、塞ぎ板係合部２ｃ及び折曲部１０ｂの両方に磁石を設けることも可能である。この場合、互いに反対の磁極を当接させるのは勿論である。
【図１】
2010035322.tif 000003
【図２】
2010035322.tif 000004
【図３】
2010035322.tif 000005
【図４】
2010035322.tif 000006
【図５】
2010035322.tif 000007
【図６】
2010035322.tif 000008
【図７】
2010035322.tif 000009
【図８】
2010035322.tif 000010
【図９】
2010035322.tif 000011
【図１０】
2010035322.tif 000012
【図１１】
2010035322.tif 000013
【図１２】
2010035322.tif 000014
【図１３】
2010035322.tif 000015
【国際調査報告】
2010035322.tif 000016
2010035322.tif 000017